(57)【要約】【課題】デザイン性と、吹出口から吹き出される空気の抵抗の増大の抑制とを両立できる床置き型の空気清浄機を提供する。【解決手段】本体１０と、ファンとを備える。本体１０には、清浄化した空気を上に吹き出す吹出口１１が形成される。ファンは、本体１０に取り付けられ、清浄化した空気を、吹出口１１を介して外部に排出する機能を有する。吹出口１１の全体の、水平面への投影面積が、吹出口１１の全体の、本体１０の背面に平行な鉛直面への投影面積の１５０％以下である。【選択図】図２
2012026673.tif 000002
【特許請求の範囲】
【請求項１】
清浄化した空気を上に吹き出す吹出口（１１）が形成される本体（１０）と、
前記本体（１０）に取り付けられるファン（４）と、
を備え、
前記吹出口（１１）の全体の、水平面への投影面積が、前記吹出口（１１）の全体の、前記本体（１０）の背面に平行な鉛直面への投影面積の１５０％以下である、
床置き型の空気清浄機（１）。
【請求項２】
前記吹出口（１１）の全体の、水平面への投影面積が、前記吹出口（１１）の全体の、前記本体（１０）の背面に平行な鉛直面への投影面積の１００％以下である、
請求項１に記載の床置き型の空気清浄機（１）。
【請求項３】
前記吹出口（１１）には、所定間隔で並んだ第１部材（１１ａ）と、前記第１部材（１１ａ）に直交する方向に所定間隔で並んだ第２部材（１１ｂ）とが格子を形成するように配置され、
隣り合う前記第１部材（１１ａ）の間隔は、隣り合う前記第２部材（１１ｂ）の間隔よりも小さい、
請求項１又は２に記載の床置き型の空気清浄機（１）。
【請求項４】
前記第１部材（１１ａ）は、金属から構成され、前記第２部材（１１ｂ）は、樹脂から構成される、
請求項３に記載の床置き型の空気清浄機（１）。
【請求項５】
前記吹出口（１１）の全体の左右方向の幅は、前記本体（１０）の前記左右方向の幅の７０％以下である、
請求項３又は４に記載の床置き型の空気清浄機（１）。
【請求項６】
前記ファン（４）は、シロッコファンであり、
前記シロッコファンは、ロータ（４１）を有し、
前記吹出口（１１）の全体の高さ寸法は、前記本体（１０）の前記ロータ（４１）の回転中心よりも上側部分の高さ寸法の２０％以上である、
請求項３〜５のいずれか１項に記載の床置き型の空気清浄機（１）。
【請求項７】
前記シロッコファンは、前記ロータ（４１）を覆うケーシング（４２）をさらに有し、
前記第２部材（１１ｂ）は、前記シロッコファンのケーシング部材と一体成形される、
請求項６に記載の床置き型の空気清浄機（１）。
【発明の詳細な説明】
【技術分野】
【０００１】
本発明は、床置き型の空気清浄機に関する。
【背景技術】
【０００２】
従来、特許文献１（特開２００８−１２０５９号公報）に開示のように、清浄化した空気を、吹出口を介して上に吹き出し、室内に清浄空気を供給する床置き型の空気清浄機が存在する。
【発明の概要】
【発明が解決しようとする課題】
【０００３】
ここで、通常、製品のデザインは、需要者のニーズ等に応じて更新されていくことが多い。しかし、製品のデザインが変わったにも関わらず、従来の設計通りに製品をつくると、種々の不都合が生じる場合がある。
【０００４】
例えば、特許文献１（２００８−１２０５９号公報）に開示の空気清浄機では、吹出口は、本体の上面視において左右方向に幅広く形成されているが、製品のデザインによっては、幅広く形成できない場合もある。このような場合、吹出口を介して吹き出される空気の抵抗が増大してしまい、送風能力が低下することが懸念される。しかし、製品のデザイン性と、送風能力とは両立できることが望ましい。
【０００５】
そこで、本発明の課題は、デザイン性と、吹出口から吹き出される空気の抵抗の増大の抑制とを両立できる床置き型の空気清浄機を提供することにある。
【課題を解決するための手段】
【０００６】
本発明の第１観点に係る床置き型の空気清浄機は、本体と、ファンとを備える。本体には、清浄化した空気を上に吹き出す吹出口が形成される。ファンは、本体に取り付けられる。吹出口の全体の、水平面への投影面積が、吹出口の全体の、本体の背面に平行な鉛直面への投影面積の１５０％以下である。
【０００７】
例えば、製品のデザイン上、とりうる吹出口全体の左右方向の幅が狭くなることがある。この場合、吹出口から吹き出される空気の抵抗が大きくなり、送風能力の低下が懸念される。また、送風能力の低下の抑制のため、ファンの送風量を多くすると、異音の発生が懸念される。
【０００８】
そこで、本発明の第１観点に係る床置き型の空気清浄機では、吹出口全体の、水平面の投影面積が、吹出口の全体の、本体の背面に平行な鉛直面への投影面積の１５０％以下にすることにより、デザイン性と、空気の抵抗の増大の抑制とを両立させている。
【０００９】
本発明の第２観点に係る床置き型の空気清浄機は、第１観点に係る床置き型の空気清浄機であって、吹出口の全体の、水平面への投影面積が、吹出口の全体の、本体の背面に平行な鉛直面への投影面積の１００％以下である。
【００１０】
本発明の第２観点に係る床置き型の空気清浄機では、吹出口全体の、水平面の投影面積が、吹出口の全体の、本体の背面に平行な鉛直面への投影面積の１００％以下であることにより、さらに、空気の抵抗の増大を抑制できる。
【００１１】
本発明の第３観点に係る床置き型の空気清浄機は、第１観点又は第２観点に係る床置き型の空気清浄機であって、吹出口には、第１部材と第２部材とが格子を形成するように配置される。第１部材は、所定間隔で並んでいる。第２部材は、第１部材に直交する方向に所定間隔で並んでいる。隣り合う第１部材の間隔は、隣り合う第２部材の間隔よりも小さい。
【００１２】
通常、吹出口には、物の落下防止等のためのガード部材（第１部材及び第２部材）が配置される。ここで、本発明の第３観点に係る床置き型の空気清浄機では、吹出口を介して外部に排出される空気の抵抗を減らすために、所定方向に並んだ第２部材の、隣り合う部材との間隔を比較的大きく維持している。しかし、物が当該間隔を抜けて本体内へ落下することを防止する必要がある。そこで、隣り合う第１部材の間隔を、隣り合う第２部材の間隔よりも小さくすることで、物の落下防止をサポートできる。
【００１３】
本発明の第４観点に係る床置き型の空気清浄機は、第３観点に係る床置き型の空気清浄機であって、第１部材は、金属から構成され、第２部材は、樹脂から構成される。
【００１４】
本発明の第４観点に係る床置き型の空気清浄機では、第１部材が金属から構成されることで、第１部材を極力細く形成することができる。これにより、空気の吹出口の通過時の空気抵抗を抑制できる。
【００１５】
本発明の第５観点に係る床置き型の空気清浄機は、第３観点又は第４観点に係る床置き型の空気清浄機であって、吹出口の全体の左右方向の幅は、本体の左右方向の幅の７０％以下である。
【００１６】
本発明の第５観点に係る床置き型の空気清浄機では、吹出口の全体の左右方向の幅が、本体の左右方向の幅の７０％以下であっても、吹出口の全体の、水平面への投影面積が、吹出口の全体の、本体の背面に平行な鉛直面への投影面積の１５０％又は１００％以下であることにより、デザイン性と、吹出口から吹き出される空気の抵抗の増大の抑制とを両立できる。
【００１７】
本発明の第６観点に係る床置き型の空気清浄機は、第３観点〜第５観点のいずれかに係る床置き型の空気清浄機であって、ファンは、シロッコファンであり、シロッコファンは、ロータを有する。吹出口の全体の高さ寸法は、本体のロータの回転中心よりも上側部分の高さ寸法の２０％以上である。
【００１８】
本発明の第６観点に係る床置き型の空気清浄機では、吹出口の全体の高さ寸法が、本体のロータの回転中心よりも上側部分の高さ寸法の２０％以上であることにより、デザイン上、とりうる吹出口全体の左右方向の幅が多少狭くなっても、デザイン性と、吹出口から吹き出される空気の抵抗の増大の抑制とを両立できる。
【００１９】
本発明の第７観点に係る床置き型の空気清浄機は、第６観点に係る空気清浄機であって、シロッコファンは、ロータを覆うケーシングをさらに有する。第２部材は、シロッコファンのケーシング部材と一体成形される。
【００２０】
本発明の第７観点に係る床置き型の空気清浄機では、空気の吹出口の通過時の空気抵抗を抑制できる。
【発明の効果】
【００２１】
本発明の第１観点に係る床置き型の空気清浄機では、デザイン性と、吹出口から吹き出される空気の抵抗の増大の抑制とを両立できる。
【００２２】
本発明の第２観点に係る床置き型の空気清浄機では、さらに、空気の抵抗の増大を抑制できる。
【００２３】
本発明の第３観点に係る床置き型の空気清浄機では、物の落下防止をサポートできる。
【００２４】
本発明の第４観点に係る床置き型の空気清浄機では、空気の吹出口の通過時の空気抵抗を抑制できる。
【００２５】
本発明の第５観点及び第６観点に係る床置き型の空気清浄機では、デザイン性と、吹出口から吹き出される空気の抵抗の増大の抑制とを両立できる。
【００２６】
本発明の第７観点に係る床置き型の空気清浄機では、空気の吹出口の通過時の空気抵抗を抑制できる。
【図面の簡単な説明】
【００２７】
【図１】本発明の一実施形態に係る床置き型の空気清浄機の概略の外観斜視図。
【図２】空気清浄機の概略の背面斜視図。
【図３】空気清浄ユニット、加湿ユニット及びファンの概略の分解斜視図。
【図４】ファンの周辺の概略の正面斜視図。
【図５】ファンの周辺の概略の背面斜視図。
【図６】ファンの周辺の概略の正面図。
【図７】ファンの周辺の概略の背面図。
【図８】空気清浄機の背面図。
【図９】空気清浄機の上面図。
【図１０】空気清浄機の分解背面図。
【発明を実施するための形態】
【００２８】
以下、図面を参照しながら、本発明の一実施形態に係る床置き型の空気清浄機１について説明する。
【００２９】
（１）空気清浄機１の概略構成
図１は、本発明の一実施形態に係る空気清浄機１の概略の正面斜視図である。図２は、空気清浄機１の概略の背面斜視図である。図３は、空気清浄ユニット２、加湿ユニット３及びファン４の概略の分解斜視図である（矢印は、空気流を示す）。なお、以下の説明において、上、左、右、正面（前）、背面（後）といった方向を示す語句を用いているが、これらの方向は、特にことわりのない限り、図１に示す方向を意味する。
【００３０】
ここで、本発明の一実施形態に係る空気清浄機１の機能について簡単に説明する。空気清浄機１は、加湿機能と空気清浄機能との２つの機能を有している。空気清浄機１は、空気清浄機能及び加湿機能のいずれかの機能を発揮するだけでなく、両機能を同時に発揮することができる。
【００３１】
以下、空気清浄機１の構成について説明する。空気清浄機１は、床置き型であり、図１や図３に示すように、本体１０と、空気清浄ユニット２と、加湿ユニット３と、ファン４と、制御ユニット（図示せず）とを備える。
【００３２】
（１−１）本体１０
図１に示すように、本体１０は、上部から胴部にかけて丸みを帯びた形状をしている。また、胴部から底部にかけても丸みを帯びた形状をしている。
【００３３】
本体１０には、室内空気を取り込むための吸込口（図示せず）と、清浄化した空気を室内に吹き出すための吹出口１１（図２を参照）とが形成される。具体的には、吸込口は、本体１０の前面に形成される。吹出口１１については、後に詳述する。
【００３４】
空気清浄機１では、吸込口を介して本体１０内に吸い込まれた空気は、吹出口１１を介して本体１０外に排出される。
【００３５】
本体１０には、以下に詳述する、空気清浄ユニット２、加湿ユニット３、ファン４及び制御ユニットが収容されている。
【００３６】
（１−２）空気清浄ユニット２
空気清浄ユニット２は、図３に示すように、主として、プレフィルタ２１と、ＨＥＰＡフィルタ２２と、脱臭エレメント２３とを有している。これらは、正面側から背面側にかけてこの順に（すなわち、空気流の上流側から下流側にかけてこの順に）並んで配置されている。
【００３７】
プレフィルタ２１は、空気中の比較的大きな塵埃等を捕捉する。ＨＥＰＡフィルタ２２は、プレフィルタ２１を通過した空気中の微細な塵埃等を捕捉する。脱臭エレメント２３は、活性炭などを含み、プレフィルタ２１及びＨＥＰＡフィルタ２２を通過した空気中のニオイや有毒ガスを吸着して分解する。
【００３８】
（１−３）加湿ユニット３
加湿ユニット３は、空気清浄ユニット２の空気流の下流側に配置され、主として、水トレー３１と、加湿ロータ３２とを有する。
【００３９】
水トレー３１は、空気清浄ユニット２を通過した空気に供給する水分を貯留する貯留容器である。なお、本体１０内には、水トレー３１に水分を供給する水タンク（図示せず）が配置されている。
【００４０】
加湿ロータ３２は、回転可能であり、主として、水トレー３１内の水を回転により汲み上げる水汲み上げ部（図示せず）と、水汲み上げ部によって汲み上げられた水を吸着する加湿フィルタ（図示せず）とを有する。
【００４１】
加湿ロータ３２の具体的な動作について簡単に説明する。まず、回転によって、水汲み上げ部が水トレー３１内の水を汲み上げる。水汲み上げ部によって汲み上げられた水は、所定位置を通過する際に加湿フィルタに供給される。すなわち、このときの加湿フィルタは、水分を吸着した状態にある。これにより、加湿フィルタを通過する空気は、水分が供給されて、加湿フィルタを通過した後は、加湿された空気となる。
【００４２】
以上のように、加湿ロータ３２は、空気清浄ユニット２を通過した空気に水分を供給する機能を有する。
【００４３】
（１−４）ファン４
図４は、ファン４の周辺の概略の正面斜視図である。図５は、ファン４の周辺の概略の背面斜視図である。図６は、ファン４の周辺の概略の正面図である。図７は、ファン４の周辺の概略の背面図である。図４〜図７に示す黒塗りの矢印は、空気流を示す。また、以下の説明においては、図４に示すように、ファン４の回転軸方向に対して鉛直方向に延びる方向をＺ軸方向という。
【００４４】
ファン４は、加湿ユニット３の空気流の下流側に位置し、本体１０の背面側部分に取り付けられる。ファン４は、室内空気を、吸込口を介して本体１０内に取り込み、空気清浄ユニット２及び加湿ユニット３を通過して調和された空気を、吹出口１１を介して外部に排出する機能を有する。具体的には、ファン４は、シロッコファンであり、加湿ユニット３を通過した空気を、回転軸方向から吸い込み、Ｚ軸方向上方へと吹き出す。
【００４５】
ファン４は、図４や図５等に示すように、主として、ロータ４１と、ケーシング４２と、モータ（図示せず）とを有する。
【００４６】
ロータ４１は、円筒状に形成され、回転可能である。ロータ４１は、ケーシング４２に収容される。
【００４７】
ケーシング４２は、ロータ４１を覆い、樹脂から構成される。ケーシング４２には、図４や図６に示すように、ロータ４１の回転軸方向から空気を吸い込むためのファン吸込口４２ａと、図６や図７に示すように、Ｚ軸方向上方に空気を導くためのファン導出口４２ｂとが形成される。ファン導出口４２ｂを介してファン４から流出する空気は、本体１０に形成される吹出口１１を介して、室内へと吹き出される。
【００４８】
モータは、ロータ４１に駆動軸を介して連結されている。モータが制御ユニットによって回転駆動されることにより、ロータ４１が回転する。すなわち、モータは、ロータ４１を回転させる機能を有する。
【００４９】
（１−５）制御ユニット
制御ユニットは、操作パネル５１（図１を参照)の下方に位置する複数の電装品から構成され、空気清浄機１の本体１０内の各種部品の動作を制御する。具体的には、制御ユニットは、操作パネル５１を介して入力されるユーザの指令に基づいて、空気清浄ユニット２、加湿ユニット３及びファン４の制御を行う。例えば、ユーザが操作パネル５１を介して空気清浄機１に加湿運転及び空気清浄運転を行う旨の制御指令を入力した場合、制御ユニットは、モータの稼働等を行う。
【００５０】
以下、空気清浄機１の動作について説明する。
【００５１】
（２）空気清浄機１の動作
モータの回転によりファン４が回転することによって、室内空気が本体１０の吸込口を介して本体１０内に流入する。そして、吸込口を介して本体１０内に流入した空気は、空気清浄ユニット２を通過する際に、比較的大きな塵埃、微細な塵埃、ニオイ等が除去される。空気清浄ユニット２で清浄された空気は、加湿ユニット３を通過する際に水分が供給された加湿される。加湿ユニット３で加湿された空気は、ファン４の回転軸方向から、ファン吸込口４２ａを介して、ファン４に流入する。ファン４に流入した空気は、上方に方向転換され、ファン導出口４２ｂを介して吹出口１１へと導かれる。吹出口１１へと導かれた空気は、吹出口１１を介して上方に吹き出される、すなわち、本体１０の外部である室内に供給される。
【００５２】
以上のように、本体１０内で空気清浄ユニット２及び加湿ユニット３によって調和された（清浄化された）空気は、吹出口１１を介して、室内に供給される。
【００５３】
（３）本体１０に形成される吹出口１１について
図８は、空気清浄機１の背面図である。図９は、空気清浄機１の上面図である。図１０は、空気清浄機１の分解背面図である。
【００５４】
吹出口１１には、図９に示すように、複数の第１格子形成部材１１ａ（第１部材に相当）と複数の第２格子形成部材１１ｂ（第２部材に相当）とが格子を形成するように配置されている。複数の第１格子形成部材１１ａは、前後方向に所定間隔で並んでいる。複数の第２格子形成部材１１ｂは、第１格子形成部材１１ａに直行する方向（左右方向）に所定間隔で並んでいる。
【００５５】
第１格子形成部材１１ａは、金属から構成され、第２格子形成部材１１ｂは、樹脂から構成される。隣り合う第１格子形成部材１１ａの間隔は、隣り合う第２格子形成部材１１ｂの間隔よりも小さい。具体的には、隣り合う第１格子形成部材１１ａの間隔は、隣り合う第２格子形成部材１１ｂの間隔の、３５％〜４０％である。
【００５６】
第２格子形成部材１１ｂは、ファン４のケーシング４２と一体成形される。
【００５７】
ここで、空気清浄機１の本体１０は、全体的に、ユーザに対して意匠的効果があるとされる丸みを帯びた形状をしている。よって、このような丸みを帯びた形状を有する本体１０に、清浄化した空気を上に吹き出す吹出口を形成しようとすると、吹出口の左右方向の幅が狭くなりやすい。このとき、例えば、特許文献１（特開２００８−１２０５９号公報）のように、ほぼ本体の上面にしか吹出口が形成されないとなると、吹出口を介して吹き出される空気の抵抗が増大してしまい、送風能力が低下することが懸念される。また、送風能力の低下の抑制のために、ファンの送風量を多くすると、異音の発生が懸念される。
【００５８】
そこで、空気清浄機１では、本体１０に形成される吹出口１１の形状を以下のようにしている。
【００５９】
まず、吹出口１１は、図２や図５に示すように、本体１０の上面だけでなく、本体１０の上面から背面にかけて湾曲するように形成されている。
【００６０】
そして、図８及び図９に示すように、吹出口１１の全体の、本体１０の背面に平行な鉛直面への投影面積（すなわち、図８に示す空気清浄機１の吹出口１１の、紙面の正面側から視た部分の面積）は、吹出口１１の全体の、水平面への投影面積（すなわち、図９に示す空気清浄機１の吹出口１１の、紙面の正面側から視た部分の面積）よりも大きい。具体的には、吹出口１１の全体の、水平面への投影面積が、吹出口１１の全体の、本体１０の背面に平行な鉛直面への投影面積の１５０％以下（より好ましくは、１００％以下、さらに好ましくは、６５％〜７０％）である。
【００６１】
また、吹出口１１の全体の左右方向の幅Ｗ１は、本体１０の左右方向の幅Ｗ２の７０％以下（具体的には、４０％〜６０％）である。
【００６２】
また、図８及び図１０に示すように、吹出口１１の高さ寸法Ｈ１は、本体１０の、ロータ４１の回転中心Ｃ１（図４を参照）よりも上側部分（すなわち、ロータ４１の回転中心Ｃ１から本体１０の上面まで）の高さ寸法Ｈ２の２０％以上（好ましくは、２５％〜３５％）である。
【００６３】
（４）特徴
（４−１）
通常、製品のデザインは、需要者のニーズ等に応じて更新されることが多い。しかし、製品のデザインが変わったにも関わらず、従来の設計どおりに製品を製造すると、種々の不都合が生じる場合がある。
【００６４】
例えば、特許文献１（２００８−１２０５９号公報）に開示の空気清浄機では、吹出口は、本体の上面視において左右方向に幅広く形成されているが、製品のデザインによっては、幅広く形成できない場合もある。このような場合、吹出口を介して吹き出される空気の抵抗が増大してしまい、送風能力が低下することが懸念される。また、送風能力の低下の抑制のために、ファンの送風量を多くすると、異音の発生が懸念される。しかし、製品のデザイン性と、送風能力とは両立できることが望ましい。
【００６５】
そこで、本実施形態では、本体１０に形成される吹出口１１の全体の、水平面への投影面積が、吹出口１１の全体の、本体１０の背面に平行な鉛直面への投影面積の１５０％以下である。
【００６６】
よって、本実施形態の空気清浄機１では、従来のように、ほぼ本体の上面にしか吹出口が形成されていないような空気清浄機に比べると、吹出口１１から吹き出される空気（清浄化された空気）の抵抗の増大を抑制できる。すなわち、空気清浄機１の送風能力を維持しながら、デザイン性を考慮できる。また、ファン４の送風量を多くすることによる異音の発生も抑制できる。
【００６７】
さらに、本体１０に形成される吹出口１１の全体の、水平面への投影面積が、吹出口１１の全体の、本体１０の背面に平行な鉛直面への投影面積の１００％以下の場合は、より一層、吹出口１１から吹き出される空気の抵抗の増大を抑制できる、すなわち、空気清浄機１の送風能力が向上する。さらに、本体１０に形成される吹出口１１の全体の、水平面への投影面積が、吹出口１１の全体の、本体１０の背面に平行な鉛直面への投影面積の６５％〜７０％の場合は、より一層、吹出口１１から吹き出される空気の抵抗の増大を抑制できる、すなわち、空気清浄機１の送風能力が向上する。
【００６８】
（４−２）
通常、吹出口１１には、物の落下防止や、人の指がファンに届かないようにするためのガード部材が配置される。本実施形態の空気清浄機１でも、第１格子形成部材１１ａ及び第２格子形成部材１１ｂが、ガード部材として機能する。
【００６９】
本実施形態の空気清浄機１では、吹出口１１を介して室内に排出される空気の抵抗を減らすために、左右方向に並んだ複数の第２格子形成部材１１ｂの、隣り合う部材との間隔を比較的大きく維持している。しかし、物が当該間隔を抜けて本体１０内へ落下することを防止する必要がある。そこで、隣り合う第１格子形成部材１１ａの間隔を、隣り合う第２格子形成部材１１ｂの間隔よりも小さくすることで、物の落下防止等をサポートできる。
【００７０】
（４−３）
本実施形態では、第１格子形成部材１１ａは、金属から構成され、第２格子形成部材１１ｂは、樹脂から構成される。
【００７１】
ここでは、第１格子形成部材１１ａが、樹脂ではなく金属から構成されることで、第１格子形成部材１１ａを極力細く形成できる。これにより、空気の吹出口１１を通過する際の空気抵抗を抑制できる。
【００７２】
（４−４）
本実施形態では、吹出口１１の全体の左右方向の幅Ｗ１が、本体１０の左右方向の幅Ｗ２の７０％（具体的には、４０％〜６０％）以下であっても、吹出口１１の全体の、本体１０の背面に平行な鉛直面への投影面積が、吹出口１１の全体の、水平面への投影面積よりも大きいことにより、吹出口１１から吹き出される空気の抵抗の増大を抑制できる。これにより、デザイン性を考慮しながら、空気清浄機１の送風能力を維持することができる。
【００７３】
（４−５）
本実施形態では、吹出口１１の全体の高さ寸法Ｈ１が、本体１０のロータ４１の回転中心Ｃ１よりも上側部分の高さ寸法Ｈ２の２０％以上である。よって、上述したように、デザイン上、とりうる吹出口の全体の左右方向の幅が多少狭くなっても、空気清浄機１では、デザイン性と、吹出口１１から吹き出される空気の抵抗の増大の抑制とを両立できる。
【００７４】
なお、吹出口１１の全体の高さ寸法Ｈ１が、本体１０のロータ４１の回転中心Ｃ１よりも上側部分の高さ寸法Ｈ２の２５％〜３５％の場合は、より一層、吹出口１１から吹き出される空気の抵抗の増大を抑制できる、すなわち、空気清浄機１の送風能力を向上できる。
【００７５】
（４−６）
本実施形態では、第２格子形成部材１１ｂは、ファン４のケーシング４２の部材と一体成形される。第２格子形成部材１１ｂとケーシング４２とを接着する場合等を考えると、多少空気のもれが発生することが懸念されるが、ここでは、一体成形しているので、空気の吹出口１１を通過する際の空気抵抗を抑制できる。
【００７６】
（５）変形例
以上、本発明の実施形態について図面に基づいて説明したが、具体的な構成は、上記の実施形態に限られるものではなく、発明の要旨を逸脱しない範囲で変更可能である。
【００７７】
上記実施形態では、第１格子形成部材１１ａは、金属から構成されると説明したが、他の部材である樹脂等で形成される場合があってもよい。この場合、上記実施形態の空気清浄機１に比べると、送風能力が多少劣るが、従来のように、ほぼ本体の上面にしか吹出口が形成されていないような空気清浄機に比べると、デザイン性と、空気の抵抗の増大の抑制（送風能力の維持）との両立を図ることができる。
【産業上の利用可能性】
【００７８】
本発明は、上方に空気を吹き出す空気清浄機に適用可能である。
【符号の説明】
【００７９】
１      空気清浄機
４      ファン
１０    本体
１１    吹出口
１１ａ  第１格子形成部材（第１部材）
１１ｂ  第２格子形成部材（第２部材）
４１    ロータ
４２    ケーシング
【先行技術文献】
【特許文献】
【００８０】
【特許文献１】特開２００８−１２０５９号公報
【図１】
2012026673.tif 000003
【図２】
2012026673.tif 000004
【図３】
2012026673.tif 000005
【図４】
2012026673.tif 000006
【図５】
2012026673.tif 000007
【図６】
2012026673.tif 000008
【図７】
2012026673.tif 000009
【図８】
2012026673.tif 000010
【図９】
2012026673.tif 000011
【図１０】
2012026673.tif 000012